(57)【要約】【課題】付加情報付きの番組表を出力することができる情報処理装置を提供することである。【解決手段】実施形態の情報処理装置は、受信手段と、生成手段と、出力手段とを備える。前記受信手段は、操作履歴情報を含む番組付加情報を受信する。前記生成手段は、前記番組付加情報及び番組表情報に基づき、前記番組付加情報が対応付けられた番組表を表示するための表示情報を生成する。前記生成手段は、前記表示情報を出力する。【選択図】図６
2013243704.tif 000002
【特許請求の範囲】
【請求項１】
放送受信装置に対して操作情報を送信し、また、操作履歴情報が対応付けられた第１の番組セル及びネットワークアクセス情報が対応付けられた第２の番組セルを含む番組表を表示するための表示情報を受信する通信手段と、
前記表示情報を出力する出力手段と、
前記第１のセルに対応付けられた前記操作履歴情報の選択に対応して操作履歴に基づく機能の実行を指示し、前記第２のセルに対応付けられた前記ネットワークアクセス情報の選択に対応して前記ネットワークアクセス情報に基づくネットワーク上の情報へのアクセスを指示する制御手段と、
を備える情報処理端末。
【請求項２】
前記制御手段は、前記ネットワークアクセス情報に基づきソーシャルメディアの情報へのアクセスを指示する請求項１の情報処理端末。
【請求項３】
前記制御手段は、前記ネットワークアクセス情報に基づき前記ソーシャルメディアにおける前記第２のセルの番組に関する情報へのアクセスを指示する請求項２の情報処理端末。
【請求項４】
前記制御手段は、前記操作履歴情報としての番組記録履歴情報の選択に対応して記録番組の再生の実行を指示する請求項１乃至３の何れか一つの情報処理端末。
【請求項５】
前記制御手段は、前記操作履歴情報としての番組購入履歴情報の選択に対応して購入番組の再生の実行を指示する請求項１乃至４の何れか一つの情報処理端末。
【請求項６】
前記出力手段は、前記表示情報に基づき前記番組表を表示する請求項１乃至５の何れか一つの情報処理端末。
【請求項７】
前記出力手段は、前記放送受信装置により受信される放送の番組に関する前記番組表を表示する請求項１乃至６の何れか一つの情報処理端末。
【発明の詳細な説明】
【技術分野】
【０００１】
本発明の実施形態は情報処理装置及び情報処理方法に関する。
【背景技術】
【０００２】
テレビジョン受信装置、ディスク記録再生装置などの情報再生装置では、放送番組信号を受信し、記録媒体に記録する機能を備えている。複数のチューナを備える装置は、多数のチャンネルの放送番組信号を同時に記録媒体に記録する機能を有する。また、録画予約データに基づいて受信した放送番組信号を記録媒体に記録する機能も有する。
【０００３】
放送番組信号の記録或いは視聴のために、放送番組信号が選択される場合、嗜好情報が利用される。嗜好情報は、例えば、情報再生装置を使用するユーザの好みを推定した例えばお勧め番組リストを提示するための情報である。嗜好情報の作成方法は、従来から各種の方法が提案されている。
【０００４】
また、テレビジョン受信装置は、ＥＰＧ（Electric Program Guide：電子番組ガイド）を受信し、ＥＰＧを出力（表示）することができる。例えば、ＥＰＧは、放送予定の番組一覧を含み、ユーザは、ＥＰＧの番組一覧の中から所望番組を探して、所望番組を選択し、所望番組の録画を予約したり、所望番組の視聴を予約したりすることができる。
【先行技術文献】
【特許文献】
【０００５】
【特許文献１】特開２０１０−２４５９０４号公報
【発明の概要】
【発明が解決しようとする課題】
【０００６】
上記ＥＰＧは、表示形式等を除けば、実質的に画一的なものであり、ユーザの行為、行動、又は嗜好性に応じた付加情報は含まれていない。例えば、上記ＥＰＧの番組一覧の中で、過去に視聴したことがある番組、録画済みの番組、購入済みの番組などの操作履歴は案内されていない。そのため、ユーザは、ＥＰＧの番組一覧を見て、自分の過去の行為、行動等を思い起こして、どの番組を録画するか、どの番組を視聴予約するか判断している。
【０００７】
本発明の目的は、付加情報付きの番組表を出力することができる情報処理装置及び情報処理方法を提供することである。
【課題を解決するための手段】
【０００８】
実施形態の情報処理装置は、受信手段と、生成手段と、出力手段とを備える。前記受信手段は、操作履歴情報を含む番組付加情報を受信する。前記生成手段は、前記番組付加情報及び番組表情報に基づき、前記番組付加情報が対応付けられた番組表を表示するための表示情報を生成する。前記生成手段は、前記表示情報を出力する。
【図面の簡単な説明】
【０００９】
【図１】実施形態の構成の一例を示すブロック図である。
【図２】図１の制御装置の内部機能（内部ブロク）を取り出して示す図である。
【図３】嗜好情報を生成するために番組に対する重み付け値を決めるための一例を示す動作説明図である。
【図４】携帯端末のブロック構成の一例を示す図である。
【図５】携帯端末毎の嗜好情報（お勧め情報）作成を、外部のサーバーに委託できる構成例を示す図である。
【図６】付加情報付き番組表の一例を示す図である。
【図７】付加情報付き番組表の一例を示す図である。
【発明を実施するための形態】
【００１０】
以下、実施の形態について図面を参照して説明する。図１は本実施形態が適用された対話型のデジタルテレビジョン受信装置のブロック図を示す。
【００１１】
この受信装置は、例えばスクランブルされたデジタル地上波放送信号を受信する複数のチューナ１０２Ａ，１０２Ｂ，１０２Ｃを有する。チューナ１１１は、例えばＢＳ／ＣＳデジタル放送受信用のチューナである。図では４台のチューナを示しているがさらに増設されてもよいことは勿論である。
【００１２】
チューナ１０２Ａ、１０２Ｂ、１０２Ｃ、１１１で受信された放送番組の信号は、再多重部として機能するＴＳ処理部１２２に入力され、複数のチャンネル（ＣＨ）のＴＳ（Ｔｒａｎｓｐｏｒｔ Ｓｔｒｅａｍ）が１つのＴＳに再多重される。
【００１３】
ＴＳ処理部１２２から出力されるＴＳには、複数のチャンネルのＴＳのパケットが時分割多重されている。したがって、ＴＳ処理部１２２は、例えば４ＣＨの入力の場合は、パケットの配列を入力の５倍の速度で時分割多重して多重ＴＳを出力している。そして多重ＴＳのパケット配列の中に、制御情報パケットを埋め込んでいる。制御情報パケットは、多重されている各チャンネル用のチャンネルパケットのタイムスタンプ情報、パケット配列順情報などの制御情報を搬送する。
【００１４】
ＴＳ再多重方式は、ここで述べる方式に限定されるものではなく、各種の方法が可能である。ＴＳ処理部１２２で再多重化されたＴＳはＴＳ分離器１２３に送られる。ＴＳ分離器１２３は、放送番組の信号から暗号化情報であるＥＣＭ（Entitlement Control Message）と、番組名、出演者、開始時刻などのイベント情報を記述したテーブルであるＥＩＴ（Event Information Table）とを分離する。またＥＰＧ（Electric Program Guide：電子番組ガイド）情報などを分離し、制御装置２００に供給する。また放送番組のＴＳは、番組ＴＳ処理器１２４に送られる。
【００１５】
番組ＴＳ処理器１２４では、有料番組に関する番組ストリームに関しては、デスクランブルなどが行われる。デスクランブルのための鍵は、制御部２００により生成される。制御部２００は、ＥＣＭに含まれている情報、メモリ１６５の契約情報などを利用して、鍵を生成している。無料番組に関する番組ストリームは、デスクランブルされることなく通過する。
【００１６】
番組ＴＳ処理器１２４から出力された番組ＴＳは、セレクタ１２５、記録再生制御器１４１に供給される。セレクタ１２５は、ユーザが視聴しようとする番組のＴＳを選択して、ＡＶデコーダ１２６に供給する。番組ＴＳ内の映像パケットに含まれる映像データは、例えばＭＰＥＧ(Moving Picture Expert Group)方式、ＡＶＣ(Advanced Video Coding)方式などでエンコードされている。またオーディオパケット内のオーディオデータは、例えば、ＰＣＭ(Pulse Code Modulation)方式、Ｄｏｌｂｙ  方式、ＭＰＥＧ方式などでエンコードされている。ＡＶデコーダ１２６は、番組の映像パケットと、オーディオパケットを分離し、各パケット内のデータを各方式に応じてデコードする。
【００１７】
デコードされたオーディオデータは、オーディオ処理器１２７で音量・音質が調整されてスピーカシステムに供給される。デコードされた映像データは、表示処理器１２８で、画質・色合・表示スケール、ライン数、解像度などが調整されて表示器１３０に供給される。オーディオ処理器１２７、表示処理器１２８に対する制御データは、制御装置２００から与えられる。
【００１８】
記録再生制御器１４１は、番組ＴＳ処理器１２４からの番組ＴＳを、ハードディスクドライバー１４２、及び又はディスク記録再生装置１４３に供給することができる。ハードディスクドライバー１２４は、常に記録再生制御器１４１に接続されており、受信した複数のチャンネルの放送番組を例えば1乃至２ヶ月分記録することが可能である。ディスク記録再生装置１４３は、ＤＶＤ，ＢＤなどのリムーバブルなディスクの再生、又はこれらディスクに対する信号記録を行うことができる。ディスク記録再生装置１４３は、記録再生制御器１４１に対して、ネットワーク（家庭内ネットワーク）１４５、モデム１４６を介して接続されており、家庭内のサーバーとして機能することも可能である。
【００１９】
ビデオカメラ１４４は、表示器１３０を視聴する視聴者及びその周囲を撮像することができる。撮像信号は、制御装置２００において、保存・再生・モニタ用として管理されることができる。
【００２０】
制御装置２００を図１、図２を参照して説明する。
【００２１】
制御装置２００は、ＥＰＧデータ処理部２０１を含む。ＥＰＧデータ処理部２０１は、過去・現在・未来の番組に関するＥＰＧデータを利用し、既にハードディスクドライバー１４２に格納されている過去に放送された番組に関する番組表・現在放送中の番組に関する番組表・未来（1ヶ月程度）の番組に関する番組表を繋げて管理することができる。
【００２２】
また、ＥＰＧデータ処理部２０１は、ＥＰＧデータに対して、視聴者或いはユーザ固有の情報を付加することができる。ユーザ固有の情報とは、ある放送番組が映画である場合、該映画が収録されたＤＶＤ或いはＢＤをユーザが購入又は発注したことを示す情報である。また、ある放送番組がオーケストラのコンサートを収録したものであった場合、当該オーケストラのコンサートの鑑賞チケットを購入したことがあるなどの情報である。これらの情報は後述するデータ収集・修正値生成部２１１で収集される情報である。
【００２３】
さらに、制御装置２００は、通信制御部２０２を含む。通信制御部２０２は、制御装置２００に接続されている送受信器１６１、１６２、及びリモコン受信器１６４の入出力データを制御する。
【００２４】
送受信器１６１はネットワークＮＴＷに接続され、例えばインターネット上のサーバーに接続されることができる。送受信器１６２は、近距離無線通信用でありアンテナ１６３を介して携帯端末１７１、１７２との通信を行うことができる。送受信器１６２は、中継器（アクセスポイント）を介して携帯端末１７１、１７２との通信を行ってもよい。この場合、送受信器１６２は、中継器と接続される場合、無線或いは有線のいずれでもよい。さらに図示していないが、テレビジョン受信装置には、ホームサーバーが接続された家庭内ネットワークに接続される送受信器が設けられてもよい。携帯端末としては、携帯電話器、パーソナルコンピュータ、タブレット、ゲーム器など可能である。
【００２５】
リモコン送受信器１６４は、リモートコントローラ１７４からの操作信号を受け付けることができる。操作信号は、操作指令反映部２０４にて解析される。制御装置２００は、操作信号に応じた動作をシステムに反映させることができる。
【００２６】
本実施形態では、操作信号は、携帯端末１７１、１７２から送受信器１６２を介して制御部２００に与えることも可能である。
【００２７】
携帯端末１７１、１７２は、図示しない基地局、インターネットなどを介してサーバーをアクセスすることができる。サーバーが提供するコンテンツは勿論のこと、各種のアプリケーション、ゲームソフトなどをダウンロードし、送受信器１６２を介して、制御部２００に転送することが可能である。制御部２００は、携帯端末１７１や１７２からコンテンツ、アプリケーション、或いはゲームソフトが転送されてくるときは、通信制御部２０２が動作する。コンテンツ（例えば動画）が転送されてきたときは、通信制御部２０２は、受け取ったコンテンツを記録再生制御器１４１に提供する。記録再生制御器１４１は、受け取ったコンテンツ（動画）をハードディスクドライバー１４２に記録させることができる。ハードディスクドライバー１４２では、コンテンツはコンテンツファイルで管理される。携帯端末から、アプリケーション或いはゲームソフト（バージョンアップされたもの或いは新規アプリケーション或いはゲームソフト）が転送されてきたときは、通信制御部２０２は、受け取ったアプリケーション或いはゲームソフトを記録再生制御器１４１に提供する。記録再生制御器１４１は、受け取ったアプリケーション或いはゲームソフトをハードディスクドライバー１４２に記録させることができる。ハードディスクドライバー１４２では、アプリケーションとゲームソフトはアプリケーションファイルとゲームソフトファイルで管理される。
【００２８】
アプリケーション及びゲームソフトの種類、バージョンなどは、制御装置２００内のアプリケーション管理部２０５においても管理されている。アプリケーション及びゲームソフトのメニューが表示されるときは、アプリケーション管理部２０５のデータが利用される。
【００２９】
表示用のメニュー画面データ、番組表画面データなどは、表示制御部２０３に格納及びまたは管理されている。メニューの表示、番組表の表示が行われるときは、メニュー画面データ、番組表画面データが、表示制御部２０３の制御に基づき、データ格納部（メモリ或いはハードディスク）から読み出され、表示処理部１２８に供給される。これにより、メニュー画面や番組表画面が表示器１３０に表示される。
【００３０】
表示用のメニュー画面データ、番組表画面データなどは、携帯端末１７１或いは１７４に送信されることもできる。携帯端末１７１或いは１７４がメニュー画面データ、番組表画面データなど要求した場合、表示制御部２０３は、メニュー画面データ、番組表画面データを送信することができる。携帯端末１７１或いは１７４は、メニュー画面データ、番組表画面データをタッチ式パネルの画面に表示することができ、ユーザは、タッチ式パネルの画面に表示された操作ボタンに触れることにより、テレビジョン受信装置に対する動作指令を与えることができる。
【００３１】
制御装置２００は、データ収集・修正値生成部２１１を含む。データ収集・修正値生成部２１１は、装置内部で生じる各種の操作データ（記録、再生、スキップ、消去、ダビング、録画予約など）と、外部から取り込んだコミュニケーションデータから、番組に対する重み付け値の修正値を生成することができる。この重み付け値、修正値などはさらに後で詳しく説明する。データ収集・修正値生成部２１１で生成された修正値は、重み値修正部２１２において、番組の重み付け値を修正する。修正された重み付け値は、番組対重み付け格納部２１３に送られて保存される。
【００３２】
番組に対する重み付け値は、嗜好情報生成部２１４において、番組対する嗜好情報（お勧め番組リスト）を生成する場合に利用される。前記番組に対して前記重み付け値に応じた嗜好性のレベルが設定される。そして例えば、重み付け値の大きい順に番組名が配列されて、お勧め番組リストとして、表示器１３０に表示されることができる。お勧め番組リストは、１日１回或いは２日或いは３日に１回更新される。お勧め番組リストは、携帯端末の要求により、携帯端末に転送され、携帯端末の表示器に表示されることも可能である。ユーザは、好みの番組の再生操作を携帯端末の画面上で行うことができる。
【００３３】
制御装置２００は、カメラ画像・オーディオ処理部２１８を有する。カメラ画像・オーディオ処理部２１８は、例えばカメラ１４４からの画像データを取り込み、アプリケーションに応じて各種の処理を実行することができる。例えば、取り込んだ視聴者の顔画像を識別し、顔画像と、この顔画像である視聴者が視聴した番組情報を関連付けたテーブルを作成することができる。また、カメラ１４４と一体、或いは別体であるマイクロホンからのオーディデータを取り込み、解析を行うことも可能である。例えば、視聴者の音声（笑い声）が大きくなったときの、番組名とシーンを関連付けたテーブルを作成することができる。
【００３４】
制御装置２００は、使用機器管理部２１９を有する。使用機器管理部２１９は、使用機器登録アプリケーションを有し、例えばリモートコントローラ１７４により、使用機器登録アプリケーションを起動することができる。使用機器登録アプリケーションが起動した時点で、携帯端末１７１、１７４を操作したり、ハードディスクドライバー１４２、或いはディスク記録再生装置１４３を接続すると、自動的にこれらを周辺機器として登録することができる。
【００３５】
携帯端末１７１、１７４は、それぞれ識別（端末ＩＤ又は入力されたユーザＩＤ）情報を有するので、周辺機器としてＩＤが登録される。
【００３６】
またデータ収集・修正値生成部２１１は、通信制御部２０２と共に動作し、通信エリア内に存在する携帯端末を検出する機能を備える。データ収集・修正値生成部２１１は、携帯端末を検出した場合、携帯端末のメモリに残っているコミュニケーションデータを要求することができる。コミュニケーションデータは、ブログデータ、又は、メールデータ、又は、検索データなどである。また携帯端末のメモリには、各種のコンテンツを操作した形跡（履歴）データが残っている。このような履歴データには、コンテンツの識別データも含まれる。この履歴データもコミュニケーションデータとしてデータ収集・修正値生成部２１１が収集する。
【００３７】
図３には、上記装置の特徴的な構成の１つを示している。データ収集・修正値生成部２１１は、番組に関するユーザ行為のデータを収集し、番組に対する重み付け値の修正値を生成する。ユーザ行為としては、機械系（機械操作系と称しても良い）と、人間関係系（機器横断系、或いはソーシャル系と称しても良い）に分類できる。また人間関係系は、ユーザ（携帯端末）がソーシャルメディアに接して（通信を行い）コミュニケーションを実行することにも相当する。
【００３８】
機械系は、ある番組を、録画予約した、予約録画したが一定期間（例えば１週間以内）に視聴（再生）しなかった、録画した後再生した（一時停止、早送りした、スキップ再生したなどを含む）、削除した、ダビングしたなどの行為がある。この行為は、操作指令反映部２０４に入力する指令信号（インストラクション）を識別することにより判断できる。
【００３９】
データ収集・修正値生成部２１１は、指令信号を判断して、例えば以下のような修整値（ポイント）を発生する。ある番組を録画予約した場合
・・・＋５
予約録画したが一定期間（例えば１週間以内）に視聴（再生）しなかった場合
・・・・−１
録画した後再生した（一時停止、早送りした、スキップ再生したなどを含む）、削除した場合、
・・・・＋１
ダビングした場合
・・・・＋２
のポイントが発生する。このポイント、即ち修正値は、重み付け値修正部２１２において、当該番組の重み値を修正する。修正された重み値は、番組対重み付け値格納部２１３に格納される。このポイントの値は、ここに示される値に限定されるものではなく、一例であることを了解されたい。さらに細かく分類してプラスポイント、或いはマイナスポイントが発生するようにしてもよい。これを統計で収集していくと、その視聴者の番組に対する嗜好が細かくわかる。また、番組に対する視聴履歴情報が収集され、番組対視聴履歴管理部２２１に格納される。視聴履歴は、例えば１ヶ月或いは２ヶ月間保存され、古いものから順次消去される。視聴者（ユーザ）認識機能を有する場合、視聴履歴はユーザごとに分類されていてもよい。
【００４０】
次に、人間関係系においてもコミュニケーションデータが解析されて、重み付け値の修正値が生成される。例えば以下のようなポイントが発生する。即ち、
番組名、番組関連情報、出演者情報などがブログで話題にされていた
・・・・＋３
番組名、番組関連情報、出演者情報などが検索情報内に含まれていた
・・・・＋３
ショッピング情報に、番組名、番組関連情報、出演者情報などが検索情報内に含まれていた
・・・・＋３
ＤＶＤ，ＢＤ等のメディア再生情報に、番組名、番組関連情報、出演者情報などが検索情報内に含まれていた
・・・・＋３
のポイント（修正値）が発生する。
【００４１】
さらにまた、コンテンツ購入例として、ビデオオンデマンド（ＶＯＤ）によるコンテンツ購入例がある。また、ＣＤ、ＤＶＤ、物版、ゲームなどのコンテンツの購入例がある。このような購入履歴を収集するために、例えば、携帯端末（パーソナルコンピュータも含む）のインターネットアクセス情報（ＵＲＬに関する情報）が解析される。この解析により、様々な注文情報や通信販売プロバイダ（例えばAmazon（登録商標）など）が検出される。このような購入情報は、ユーザが特に興味を有するコンテンツを検出する場合に有効である。
【００４２】
したがって、上記の購入情報（購入行為）が検出された場合は、最高のポイント（例えば＋５）が発生される。
【００４３】
更に、上記の番組対重み付け値のテーブルは、携帯端末の識別（ＩＤ）情報毎に、分類されていてもよい。この分類を行うことにより、携帯端末を専用で使用している個人個人の嗜好情報をより正確に生成することができる。
【００４４】
上記の他にさらに出演者、俳優の顔画像データとその氏名のデータベース、車、会社名などのデータベースを有し、このデータベースが利用されてもよい。例えば、外部の携帯端末から出演者、俳優などの顔画像データがデータ収集・修正部２１１に入力した場合、入力した顔画像データがデータベースに登録されているかどうか判断される。入力した顔画像データがデータベースに登録されていた場合、当該出演者、俳優が出演する番組に対して、ユーザは興味が高いと判断し、当該番組の重み付け値が加点されてもよい。この場合も携帯端末１７１、１７２毎に分類された番組対重み付け値のテーブルが作成される。また、複数のユーザや複数の携帯端末毎に分類された番組対重み付け値のテーブルが作成されてもよい。このような分類に基づいて作成された複数の嗜好情報は、複数のユーザや複数の携帯端末毎に対応する。
【００４５】
上記したように、本実施形態は、フィルタリングの方法として機械系、人間関係系の情報を利用している。
【００４６】
一般的にある番組が好きだから見ると言う人は２割程度である。いわゆるある番組に対するファンが２割程度である。この種の視聴者の嗜好性を推定するには上記の機械系によるフィルタリングが向いている。
【００４７】
しかし、一方では約８割の人は、目的がなくてテレビジョン受信装置をオンにした状態で放置していることが多い。例えば、家事の最中、作業中、家族のだんらんのときに、なんとなくテレビジョン受信装置がオンにされ、番組が表示されている場合も多い。このタイプの人達の嗜好性を推定するには、機械系によるフィルタリングは最適とは言えない。
【００４８】
そこで、上記した実施形態では、ユーザの行為が分散していることに着目している。つまり一定の装置（例えば家庭内のテレビジョン装置）に対するユーザの行為のみで、当該ユーザの本当の嗜好性を推定することはできない。つまりユーザの行為はその一定の装置だけに実施されているわけはでない。
【００４９】
ユーザは、ソーシャルメディアに接してコミュニケーションを実行し、番組名、出演者名などを話題することがある。
【００５０】
そこで上記の実施形態では、コミュニケーションデータを取り込みこのデータからキーデータを抽出する。次にキーデータから、番組に関連するデータ（番組名、番組の出演者名、出演者顔画像データ、番組関連情報）を検出している。番組関連情報とは、例えば放送局名、チャンネル番号、放送時間帯などである。番組に関連するデータが検出された場合、そのユーザは、当該番組に対して積極的に興味を持つものと推測できるからである。これにより、ユーザの嗜好性がコミュニケーションデータにより強調される。このことは結果的には、ユーザが放送番組を目的も無く見ている行為による嗜好性（機械系により強調されがちな嗜好性）が相対的に抑制されることにつながる。
【００５１】
上記の例は、機械系（機械操作系）と、人間関係系（機器横断系、或いはソーシャル系）のデータを並列に取り扱った。しかしこのようなデータ処理方法に限定されるものではない。人間関係系で検出した複数の番組の中に、機械系で取り扱われた番組が存在した場合に、重み付け値を大きくする処理を追加してもよい。
【００５２】
データの分類方法は各種あり、上記した分類方法に限定されるものではない。例えば全体データと履歴データと嗜好データの関係で分類してもよい。「全体データ」は、例えばネット上の情報全てであり、番組情報、ブログ、ツイート、ネットニュースなどから取得されるデータである。「履歴データ」は、ユーザの行為で生じたデータであって、どの番組再生したか、録画したか、どの番組に関するメディアを購入したかにより生じるデータである。ここで嗜好データは、「履歴データ」の中のキーデータに対応する番組に重み付け値を付与することで、嗜好情報を得る。この場合も、人間関係情報が利用される。
【００５３】
本開示の装置は、上記の実施形態に限定されるものではない。カメラ画像・オーディオ処理部２１８は、取り込んだ視聴者の顔画像を識別し、顔画像と、この顔画像である視聴者が視聴した番組情報を関連付けたテーブルを作成することができる。また、カメラ１４４と一体、或いは別体であるマイクロホンからのオーディデータを取り込み、解析を行うことも可能である。したがって、視聴者毎の嗜好情報を作成することも可能である。
【００５４】
しかし、視聴者が複数検出された場合は、共通嗜好情報を作成することも可能である。また、視聴者の音声を認識して、大きな声で笑った場合は、視聴している番組の加算ポイントを発生しても良い。
【００５５】
さらに重み付け値が、特別に大きくなり一定の閾値を越えることもある。このような番組は、特別番組（或いは殿堂入り番組）として取り扱うことができる。重み付け値が、一定の閾値を越える殿堂入り番組は、特別番組登録部２２３に当該番組の番組情報が登録される。また、当該番組信号が、例えばハードディスクドライバー１４２に記録されていた場合、消去禁止フラッグが付加される。
【００５６】
殿堂入り番組の番組名などは、携帯端末の操作により、表示器１３０に表示されることができる。また、殿堂入り番組の番組名などは、携帯端末からの要求信号により読み出され、携帯端末の表示器に表示されることができる。
【００５７】
殿堂入り番組の番組情報の登録は、携帯端末からの操作信号により実行することもできる。ユーザは、ユーザ自身が出演した番組や、特別に興味ある番組を殿堂入り番組としたい場合がある。ユーザは携帯端末を操作して、当該番組名が記載された番組表を例えば表示器１３０、若しくは携帯端末の表示器に表示させることができる。そして、ユーザは、特別番組登録操作ボタン操作することにより、ユーザ自身が出演した番組や、特別に興味ある番組を殿堂入り番組として登録することができる。
【００５８】
殿堂入りとなる情報は、番組名に限定されるものではない、例えば人名、出演者名、商品名なども設定することが可能である。
【００５９】
データ収集・修正値生成部２１１は、収集したデータに応じて重み付け値の修正値を生成することができる。しかし、収集したデータの受付を拒否して、重み付け値の修正値を生成しない場合もある。この動作を得るために、受付を拒否するキーデータ（キーワード）を予め携帯端末から登録する。受付を拒否するキーデータは、例えば公序良俗違反となるデータであり、データ収集・修正値生成部２１１に格納される。
【００６０】
図４は、携帯端末１７１の内部構成の一例を示している。表示器３０１は映像表示部として動作し、かつタッチスクリーンとして動作することができる。メニュー画面が表示されているとき、ユーザが所望の項目にタッチすると、その操作入力が、制御部３２０の操作コマンド処理部３２４で認識される。例えば、タッチ操作が、電話機能を選択する操作入力であった場合、動作モード設定部３２６が、携帯端末１７１を携帯電話モードに設定する。
【００６１】
表示器３０１には、ダイヤル入力を行うための操作画面が表示される。所望の宛先のダイヤル入力の操作が行われると、携帯電話機能部３２５が、データ処理部３０２、通信制御部３０３、送受信器３０４を介して通信相手の呼び出しシグナルを送信する。通信先との回線が接続状態になると、通信相手からの信号が送受信器３０４、通信制御部３０３、データ処理部３０２を介して復号される。そして音声データがスピーカ３０６から出力される。またこちらかの音声データは、マイクロホン３０７を介してデータ処理部３０２で処理され、通信制御部３０３に送られる。そして送信データとして送受信器３０４を介して通信相手に送信される。メモリ３２１は、データを一時的に保存したり、或いはアプリケーションを格納するために利用される。３２３はバッテリであり、充電可能である。
【００６２】
携帯端末１７１は、例えば、インターネットを介してコンテンツ或いはアプリケーションをダウンロードすることができる。またダウンロードしたコンテンツ或いはアプリケーションをデータ転送部３２７の制御に基づいて、例えば図１に示すテレビジョン受信装置に転送することができる。この場合、携帯端末１７１は、外観上は中継器として機能している。また、携帯端末１７１は、テレビジョン受信装置に対して、再生番組を要求することもできる。テレビジョン受信装置から送られてくる再生番組のデータ量は、携帯端末１７１にとっては比較的大きな量であるために、再生番組の保存を行わず、携帯端末１７１はモニタとして機能する。
【００６３】
携帯端末１７１は、テレビジョン受信装置に対して、番組表の画像データ、コンテンツの再生データ、さらには、テレビジョン受信装置を制御するための制御画面データを要求することができる。制御画面データとしては、例えば、メニュー画面、画質調整（解像度、輝度など）画面、色調整画面、音量調整画面のデータがある。制御画面を取得した場合、ユーザは、テレビジョン受信装置の各種調整入力を、携帯端末のタッチスクリーンを介して与えることができる。また、これらの調整レベルなどの調整データは、メモリ３２１に保存することができ、次回の調整に使用することができるし、例えば使用を登録している他のテレビジョン受信装置に対しても調整データを与えることも可能である。
【００６４】
携帯端末１７１は、外部のサーバー、或いはテレビジョン受信装置からコンテンツをダウンロードし、表示器３０１に表示することができる。表示器３０１でコンテンツ（動画、写真、文字、図形など）が表示されているとき、画面上でユーザの指が、例えば好みの出演者の顔（或いは名前）に触れた場合、顔画像データは、先に説明したコミュニケーションデータに含まれるように処理される。画面上でユーザの指が、出演者の顔（或いは名前）を、円を描くように囲んでもよい。対象となる画像は、出演者の顔（或いは名前）のみならず、ユーザの好みの車、建物、興味を持つ文字列、図形などでもよい。この操作入力は操作コマンド処理部３２４により処理される。
【００６５】
携帯端末１７１は、図１のデジタルテレビジョン受信装置との間で近距離通信機能を備える。即ち、テレビジョン受信装置のデータ収集・修正値生成部２１１が、携帯端末１７１を検出し、メモリに残っているコミュニケーションデータを要求した場合、携帯端末１７１は、データ転送部２２７を起動し、当該コミュニケーションデータを送信する。次に携帯端末１９７は、送信済みのコミュニケーションデータを削除する。
【００６６】
コミュニケーションデータを携帯端末１７１からテレビジョン受信装置のデータ収集・修正値生成部２１１へ送信する手段は各種の方法が可能である。例えば、ユーザ自身が携帯端末１７１の操作ボタンを操作することにより、コミュニケーションデータを携帯端末１７１からテレビジョン受信装置へ送信できるようにしてもよい。また、携帯端末１７１でテレビジョン受信装置を操作したときに、自動的にコミュニケーションデータがテレビジョン受信装置へ送信されるようにしてもよい。
【００６７】
上記したように本開示の実施形態では、収集される履歴データとして、携帯端末の操作に基づく履歴データと、テレビジョン受信装置の操作に基づく履歴データとが存在することになる。
【００６８】
そこで本実施形態では、これら家庭内に存在する様々な機器の履歴データをそれぞれ、又は一括して管理サーバーに送信することが可能である。送信は、携帯端末が管理サーバーに送信してもよいし、テレビジョン受信装置１００が管理サーバーに送信してもよい。この場合は、例えば、番組対視聴履歴管理部２２１内のデータを利用すると好都合である。この番組対視聴履歴管理部２２１内のデータには、人間関係系情報と、機械系情報とが収集されているからである。ただし、ここでは重み付け値は省略されているものとする。
【００６９】
一方、前記管理サーバーでは、特性検出プログラムと、特性分析プログラムと、嗜好情報生成プログラムとを利用し、各家庭に適切な推薦データをサービスとして提供することが可能である。特性検出プログラムは、視聴履歴データを用いて、例えば、番組に対する独自の重み付けを割り当てる。例えば図３に示した各項目の重みを付け方式を採用してもよいし、他の重み付け値を設定してもよい。
【００７０】
次に、特性分析プログラムは、番組に対する重み付け値と履歴データを利用して、各番組に対して、独自の優先順位、例外順位など付加する。嗜好情報生成プログラムは、前記優先順位、例外順位のデータを参照して、選択した複数の番組も優先順位、例外順位などを付加し、推薦情報、つまり嗜好情報を作成する。管理サーバーは、作成された前記推薦情報を携帯端末若しくはテレビジョン受信装置へ返信する。
【００７１】
特に本実施形態の場合、上記したように、スマートフォン、タブレットなどの携帯端末は、主に大画面のテレビジョン受信装置のコンテンツ視聴に関する補助的な操作又は発展的な操作に使用される。そして、携帯端末が使用されることで生じた操作履歴が、履歴データとして収集される。このためにデータ収集・修正値生成部２１１では、複数の機器の様々な操作に基づいて、家庭内の映像コンテンツの視聴履歴が網羅的に収集される。
【００７２】
上記の場合も、複数の携帯端末が使用される場合、携帯端末毎の視聴履歴が独立して収集されてもよい。携帯端末毎の視聴履歴が独立して収集された場合、各携帯端末を所有するユーザ毎の嗜好情報が生成されることが可能である。
【００７３】
図５は、携帯端末１７１、１７２のための専用の番組対視聴履歴管理部２２１、２２１が備えられた例を示している。即ち、図５は、携帯端末毎の嗜好情報（お勧め情報）作成を、外部のサーバーに委託できる構成図の例を示している。携帯端末１７１、１７２は、それぞれの視聴履歴データを利用するために、番組対視聴履歴管理部２２１、２２１内の視聴履歴データを要求することができる。携帯端末１７１、１７２は、それぞれ独自の視聴履歴データを、好みのサーバー４０１、４１１及び又はサーバー内の嗜好情報作成サービスＡ１，Ａ２，Ｂ１，Ｂ２に送信することができる。サーバー４０１、４１１及び又はサーバー内の嗜好情報作成サービスＡ１，Ａ２，Ｂ１，Ｂ２は、受け取った視聴履歴データを用いて、嗜好情報を作成し、携帯端末１７１又は１７２に返信する。
【００７４】
したがって、携帯端末１７１、１７２は、それぞれの視聴履歴データに対応した、嗜好情報を取得することができる。また、携帯端末１７１、１７２は、好みの嗜好情報作成サービスＡ１，Ａ２，Ｂ１，Ｂ２からの嗜好情報を取得することができる。携帯端末のユーザは、例えば嗜好情報作成サービスＡ１から取得した嗜好情報が不満であれば、別の嗜好情報作成サービスＡ２又はＢ１又はＢ２からの嗜好情報を取得することができる。この嗜好情報は、携帯端末に保存されてもよいし、テレビジョン受信装置に携帯端末毎に保存されてもよい。
【００７５】
次に、図１に示すデジタルテレビジョン受信装置による付加情報付き番組表の出力（表示）について説明する。なお、デジタルテレビジョン受信装置による付加情報付き番組表の出力（表示）について説明するが、携帯端末１７１又は１７２（携帯電話器、タブレット型コンピュータ等）による付加情報付き番組表の出力（表示）であってもよい。
【００７６】
デジタルテレビジョン受信装置の送受信器１６１又は送受信器１６２は、例えば、操作履歴情報を含む番組付加情報（番組記録履歴情報、番組視聴履歴情報、番組視聴後削除履歴情報、番組購入履歴情報、番組販売情報、番組ストリーミング配信情報、番組ストリーミング配信購入情報、ネットワーク上の番組関連情報へのアクセス情報等）を受信し、制御装置２００（付加情報付き番組表生成部２５０）は、前記番組付加情報及び番組表情報（ＥＰＧ又は番組記録リスト等）に基づき、前記番組付加情報が対応付けられた番組表を表示するための表示情報を生成し、表示処理器１２８は、前記表示情報を出力する。これにより、表示器１３０は、例えば図６又は図７に示すような付加情報付き番組表を表示する。或いは、携帯端末１７１又は１７２が、デジタルテレビジョン受信装置の上記構成と同様の構成及び機能を備え、図６又は図７に示すような付加情報付き番組表を表示する。
【００７７】
上記した番組付加情報は、上記説明した嗜好情報の全部又は一部であってもよい。つまり、上記した番組付加情報は、ユーザの行動又は行為に基づく履歴情報の全部又は一部であってもよい。例えば、制御装置２００（付加情報付き番組表生成部２５０）は、受信した全ての履歴情報を利用して、付加情報付き番組表を表示するための表示情報を生成してもよいし、上記説明した嗜好情報（嗜好性のレベル）に基づき一部の有効な履歴情報を絞り込み、絞り込んだ一部の有効な履歴情報を利用して、付加情報付き番組表を表示するための表示情報を生成してもよい。
【００７８】
以下、付加情報付き番組表の生成及び出力（表示）の詳細について説明する。
【００７９】
（番組付加情報の収集及び出力）
例えば、デジタルテレビジョン受信装置は、外部サーバー、携帯端末１７１、又は１７２等から提供される番組付加情報を受信する。番組付加情報は、例えば、第１の番組識別情報（番組タイトル又は番組ＩＤ）を含む。また、デジタルテレビジョン受信装置は、放送信号から番組表情報（ＥＰＧ）を取得したり、ネットワークを介して番組表情報（ＥＰＧ）を受信したり、記録した複数番組を一覧表示するための番組表示情報を保持したりする。例えば、制御装置２００（付加情報付き番組表生成部２５０）は、番組表情報に含まれた第１の番組セルの第１の番組識別情報に基づき、番組付加情報が対応付けられた第１の番組セルを含む番組表を表示するための表示情報を生成する。
【００８０】
これにより、例えば、デジタルテレビジョン受信装置が、第１の番組に関する番組付加情報を受信した場合、デジタルテレビジョン受信装置は、第１の番組に対応する第１の番組セルに番組付加情報を対応付けて、第１の番組セルを含む番組表を表示することができる。例えば、ユーザが、番組表上の第１の番組セルをカーソル、ポインタ等で選択すると、デジタルテレビジョン受信装置は、前記選択に対応して、第１の番組セルに対応付けられた番組付加情報を出力（ポップアップ表示）する。或いは、デジタルテレビジョン受信装置は、第１の番組セルに対応付けられたアイコン（番組付加情報）を出力（表示）する。
【００８１】
（番組記録履歴情報の収集及び出力）
例えば、携帯端末１７１又は１７２が、デジタルテレビジョン受信装置に対して第２の番組（放送番組等）の記録又は予約記録を指示すると、デジタルテレビジョン受信装置の記録再生制御部１４１は、第２の番組の記録指示又は予約記録指示に基づき第２の番組を取得し、第２の番組をハードディスク（例えばローカルハードディスク）等へ記録し、デジタルテレビジョン受信装置のメモリ１６５は、記録指示又は予約記録指示（制御装置２００からの指示）に対応して、或いは実際の記録動作（制御装置２００からの指示）に対応して、番組記録履歴情報（第２の番組の記録履歴情報）を記憶する。例えば、記録履歴情報は、携帯端末１７１又は１７２の識別情報（端末ＩＤ或いはユーザＩＤ）、第２の番組識別情報（第２の番組のタイトル又は第２の番組の番組ＩＤ）、記録画質、記録音質、記録場所（例えばローカルハードディスク）等の情報を含む。同様に、メモリ１６５は、リモートコントローラ１７４からの操作信号に基づく第２の番組の記録指示又は予約記録指示に対応して、或いは実際の記録動作に対応して、番組記録履歴情報（第２の番組の記録履歴情報）を記憶する。さらに、携帯端末１７１又は１７２が第２の番組を記録した場合、携帯端末１７１又は１７２は、デジタルテレビジョン受信装置に対して番組記録履歴情報（第２の番組の記録履歴情報）を送信し、デジタルテレビジョン受信装置のメモリ１６５は、番組記録履歴情報を記憶する。
【００８２】
例えば、制御装置２００（付加情報付き番組表生成部２５０）は、番組表情報に含まれた第２の番組セルの第２の番組識別情報に基づき、番組記録履歴情報が対応付けられた第２の番組セルを含む番組表を表示するための表示情報を生成する。
【００８３】
これにより、例えば、デジタルテレビジョン受信装置が、第２の番組に関する番組記録履歴情報を受信した場合、デジタルテレビジョン受信装置は、第２の番組に対応する第２の番組セルに番組記録履歴情報を対応付けて、第２の番組セルを含む番組表を表示することができる。例えば、ユーザが、番組表上の第２の番組セルをカーソル、ポインタ等で選択すると、デジタルテレビジョン受信装置は、前記選択に対応して、第２の番組セルに対応付けられた番組記録履歴情報（例えば図８のＡＩ８）を出力（ポップアップ表示）する。或いは、デジタルテレビジョン受信装置は、第２の番組セルに対応付けられたアイコン（番組記録履歴情報）を出力（表示）する。
【００８４】
上記と同様にして、デジタルテレビジョン受信装置は、所定の番組に対応する所定の番組セルに番組記録履歴情報（例えば図８のＡＩ９又はＡＩ１０）を対応付けて、所定の番組セルを含む番組表を表示することができる。つまり、ネットワーク経由で外部機器により第５の番組が記録されていること、外部機器に記録された第５の番組が再生可能であること、或いは外部機器により第５の番組の記録が予約されていることなどを表示することができる。
【００８５】
また、デジタルテレビジョン受信装置は、ユーザＩＤを受け付け、ユーザ別モードで動作することもでき、例えば、デジタルテレビジョン受信装置が、第１のユーザＩＤを受け付けると、第１のユーザモードで動作する。この場合、デジタルテレビジョン受信装置は、第１のユーザＩＤを含む番組記録履歴情報を番組表に反映して表示することができる。例えば、携帯端末１７１又は１７２が、第１のユーザＩＤを含む記録指示又は記録予約指示を送信することにより、第１のユーザＩＤを含む番組記録履歴情報が反映された番組表を表示することができる。
【００８６】
（番組再生履歴情報の収集及び出力）
例えば、携帯端末１７１又は１７２が、デジタルテレビジョン受信装置に対して第３の番組（放送番組、記録済み番組、ネットワーク配信番組、又はパッケージメディア上の番組等）の再生又は予約再生を指示すると、デジタルテレビジョン受信装置の記録再生制御部１４１は、第３の番組の再生指示又は予約再生指示に基づき第３の番組を取得し、第３の番組を再生し、デジタルテレビジョン受信装置のメモリ１６５は、再生指示又は予約再生指示（制御装置２００からの指示）に対応して、或いは実際の再生動作（制御装置２００からの指示）に対応して、番組再生履歴情報（第３の番組の再生履歴情報）を記憶する。例えば、番組再生履歴情報は、携帯端末１７１又は１７２の識別情報（端末ＩＤ或いはユーザＩＤ）、及び第３の番組識別情報（第３の番組のタイトル又は第３の番組の番組ＩＤ）を含む。同様に、メモリ１６５は、リモートコントローラ１７４からの操作信号に基づく第３の番組の再生指示又は再生予約指示に対応して、或いは実際の再生動作に対応して、番組再生履歴情報（第３の番組の再生履歴情報）を記憶する。さらに、携帯端末１７１又は１７２が第２の番組を再生した場合、携帯端末１７１又は１７２は、デジタルテレビジョン受信装置に対して番組再生履歴情報（第３の番組の再生履歴情報）を送信し、デジタルテレビジョン受信装置のメモリ１６５は、番組再生履歴情報を記憶する。
【００８７】
例えば、制御装置２００（付加情報付き番組表生成部２５０）は、番組表情報に含まれた第３の番組セルの第３の番組識別情報に基づき、番組再生履歴情報が対応付けられた第３の番組セルを含む番組表を表示するための表示情報を生成する。
【００８８】
これにより、例えば、デジタルテレビジョン受信装置が、第３の番組に関する番組再生履歴情報を受信した場合、デジタルテレビジョン受信装置は、第３の番組に対応する第３の番組セルに番組再生履歴情報を対応付けて、第３の番組セルを含む番組表を表示することができる。例えば、ユーザが、番組表上の第３の番組セルをカーソル、ポインタ等で選択すると、デジタルテレビジョン受信装置は、前記選択に対応して、第３の番組セルに対応付けられた番組再生履歴情報（例えば図６のＡＩ１）を出力（ポップアップ表示）する。或いは、デジタルテレビジョン受信装置は、第３の番組セルに対応付けられたアイコン（番組再生履歴情報）を出力（表示）する。
【００８９】
また、番組再生履歴情報が、上記に加えて、削除情報（第３の番組の削除）を含む場合（つまり、番組再生履歴情報が番組再生後削除履歴情報であった場合）、デジタルテレビジョン受信装置は、第３の番組に対応する第３の番組セルに番組再生履歴情報（例えば図７のＡＩ１）を対応付けて、第３の番組セルを含む番組表を表示することができる。例えば、ユーザが、番組表上の第３の番組セルをカーソル、ポインタ等で選択すると、デジタルテレビジョン受信装置は、前記選択に対応して、第３の番組セルに対応付けられた番組再生履歴情報（例えば図６のＡＩ１）を出力（ポップアップ表示）する。或いは、デジタルテレビジョン受信装置は、第３の番組セルに対応付けられたアイコン（番組再生履歴情報）を出力（表示）する。
【００９０】
また、デジタルテレビジョン受信装置は、ユーザＩＤを受け付け、ユーザ別モードで動作することもでき、例えば、デジタルテレビジョン受信装置が、第１のユーザＩＤを受け付けると、第１のユーザモードで動作する。この場合、デジタルテレビジョン受信装置は、第１のユーザＩＤを含む番組再生履歴情報を番組表に反映して表示することができる。例えば、携帯端末１７１又は１７２が、第１のユーザＩＤを含む再生指示又は再生予約指示を送信することにより、第１のユーザＩＤを含む番組再生履歴情報が反映された番組表を表示することができる。
【００９１】
（番組購入履歴情報の収集及び出力）
例えば、携帯端末１７１又は１７２が、デジタルテレビジョン受信装置に対して第４の番組（ネットワーク配信番組、又はパッケージメディアで提供される番組等）の購入を指示すると、デジタルテレビジョン受信装置の制御装置２００、送受信器１６１、１６２は、外部サーバー等へ第４の番組の購入要求を送信し、外部サーバーから提供される第４の番組を受信し、デジタルテレビジョン受信装置のメモリ１６５は、第４の番組の購入指示又は購入要求（制御装置２００からの指示）に対応して、或いは実際の購入処理（制御装置２００からの指示）に対応して、番組購入履歴情報（第４の番組の購入履歴情報）を記憶する。例えば、番組購入履歴情報は、携帯端末１７１又は１７２の識別情報（端末ＩＤ或いはユーザＩＤ）、第４の番組識別情報（第４の番組のタイトル又は第４の番組の番組ＩＤ）、購入形態（ネットワーク配信番組、ＤＶＤ購入、又はＢＤ購入）を含む。同様に、メモリ１６５は、リモートコントローラ１７４からの操作信号に基づく第４の番組の購入指示に対応して、或いは実際の購入処理に対応して、番組購入履歴情報（第４の番組の購入履歴情報）を記憶する。さらに、ユーザの購入操作に対応して、携帯端末１７１又は１７２が第４の番組を購入（購入処理）した場合、携帯端末１７１又は１７２は、デジタルテレビジョン受信装置に対して番組購入履歴情報（第４の番組の購入履歴情報）を送信し、デジタルテレビジョン受信装置のメモリ１６５は、番組購入履歴情報を記憶する。
【００９２】
例えば、制御装置２００（付加情報付き番組表生成部２５０）は、番組表情報に含まれた第４の番組セルの第４の番組識別情報に基づき、番組購入履歴情報が対応付けられた第４の番組セルを含む番組表を表示するための表示情報を生成する。
【００９３】
これにより、例えば、デジタルテレビジョン受信装置が、第４の番組に関する番組購入履歴情報を受信した場合、デジタルテレビジョン受信装置は、第４の番組に対応する第４の番組セルに番組購入履歴情報を対応付けて、第４の番組セルを含む番組表を表示することができる。例えば、ユーザが、番組表上の第４の番組セルをカーソル、ポインタ等で選択すると、デジタルテレビジョン受信装置は、前記選択に対応して、第４の番組セルに対応付けられた番組購入履歴情報（例えば図６のＡＩ２）を出力（ポップアップ表示）する。或いは、デジタルテレビジョン受信装置は、第４の番組セルに対応付けられたアイコン（番組購入履歴情報）を出力（表示）する。
【００９４】
また、デジタルテレビジョン受信装置は、ユーザＩＤを受け付け、ユーザ別モードで動作することもでき、例えば、デジタルテレビジョン受信装置が、第１のユーザＩＤを受け付けると、第１のユーザモードで動作する。この場合、デジタルテレビジョン受信装置は、第１のユーザＩＤを含む番組購入履歴情報を番組表に反映して表示することができる。例えば、携帯端末１７１又は１７２が、第１のユーザＩＤを含む購入指示を送信することにより、第１のユーザＩＤを含む番組購入履歴情報が反映された番組表を表示することができる。
【００９５】
なお、上記は、第４の番組の買い取りのケースについて説明したが、ビデオオンデマンド（ＶＯＤ）を利用し第４の番組の再生権利を取得しているケースでも同様である。例えば、制御装置２００（付加情報付き番組表生成部２５０）は、番組表情報に含まれた第４の番組セルの第４の番組識別情報に基づき、番組視聴可能情報（番組ストリーミング配信購入情報）が対応付けられた第４の番組セルを含む番組表を表示するための表示情報を生成する。
【００９６】
これにより、例えば、デジタルテレビジョン受信装置は、第４の番組に対応する第４の番組セルに番組視聴可能情報を対応付けて、第４の番組セルを含む番組表を表示することができる。例えば、ユーザが、番組表上の第４の番組セルをカーソル、ポインタ等で選択すると、デジタルテレビジョン受信装置は、前記選択に対応して、第４の番組セルに対応付けられた番組視聴可能情報（例えば図６のＡＩ３）を出力（ポップアップ表示）する。或いは、デジタルテレビジョン受信装置は、第４の番組セルに対応付けられたアイコン（番組視聴可能情報）を出力（表示）する。
【００９７】
例えば、デジタルテレビジョン受信装置は、第１のユーザＩＤを受け付けると、第１のユーザモードで動作する。この場合、デジタルテレビジョン受信装置は、第１のユーザＩＤを含む番組視聴可能情報を番組表に反映して表示することができる。
【００９８】
（番組販売情報の収集及び出力）
例えば、携帯端末１７１又は１７２は、ＥＰＧを受信し、ＥＰＧに含まれる複数の番組識別情報に基づき、番組販売情報を収集する。以下、説明を分かり易くするために、ＥＰＧに含まれる第５の番組識別情報（第５の番組のタイトル又は第５の番組の番組ＩＤ）に基づき、番組販売情報（第５の番組の販売情報）を収集するケースについて説明する。例えば、携帯端末１７１又は１７２は、番組販売情報（ネットワークを介した第５の番組の販売、又はパッケージメディアで提供される第５の番組の販売）を収集し、デジタルテレビジョン受信装置に対して送信する。或いは、デジタルテレビジョン受信装置が、ＥＰＧを受信し、ＥＰＧに含まれる第５の番組識別情報に基づき、番組販売情報を収集する。例えば、デジタルテレビジョン受信装置は、番組販売情報（ネットワークを介した第５の番組の販売、又はパッケージメディアで提供される第５の番組の販売）を収集する。デジタルテレビジョン受信装置のメモリ１６５は、携帯端末１７１又は１７２からの番組販売情報、又は自ら収集した番組販売情報を記憶する。例えば、番組販売情報は、第５の番組識別情報（第５の番組のタイトル又は第５の番組の番組ＩＤ）、販売形態（ネットワーク配信番組、ＤＶＤ販売、又はＢＤ販売）、広告（ＤＶＤ Saleなど）を含む。
【００９９】
例えば、制御装置２００（付加情報付き番組表生成部２５０）は、番組表情報に含まれた第５の番組セルの第５の番組識別情報に基づき、番組販売情報が対応付けられた第５の番組セルを含む番組表を表示するための表示情報を生成する。
【０１００】
これにより、例えば、デジタルテレビジョン受信装置が、第５の番組に関する番組販売情報を入手した場合、デジタルテレビジョン受信装置は、第５の番組に対応する第５の番組セルに番組販売情報を対応付けて、第５の番組セルを含む番組表を表示することができる。例えば、ユーザが、番組表上の第５の番組セルをカーソル、ポインタ等で選択すると、デジタルテレビジョン受信装置は、前記選択に対応して、第５の番組セルに対応付けられた番組販売情報（例えば図６のＡＩ４）を出力（ポップアップ表示）する。或いは、デジタルテレビジョン受信装置は、第５の番組セルに対応付けられたアイコン（番組販売情報）を出力（表示）する。
【０１０１】
なお、第５の番組の販売のケースについて説明したが、ビデオオンデマンド（ＶＯＤ）を利用し第５の番組の再生権利を販売しているケースでも同様である。例えば、デジタルテレビジョン受信装置が、第５の番組に関するＶＯＤ情報（番組ストリーミング配信情報）を入手した場合、デジタルテレビジョン受信装置は、第５の番組に対応する第５の番組セルにＶＯＤ情報を対応付けて、第５の番組セルを含む番組表を表示することができる。例えば、ユーザが、番組表上の第５の番組セルをカーソル、ポインタ等で選択すると、デジタルテレビジョン受信装置は、前記選択に対応して、第５の番組セルに対応付けられたＶＯＤ情報（例えば図６のＡＩ５）を出力（ポップアップ表示）する。或いは、デジタルテレビジョン受信装置は、第５の番組セルに対応付けられたアイコン（ＶＯＤ情報）を出力（表示）する。
【０１０２】
（ネットワークアクセス情報の収集及び出力）
例えば、携帯端末１７１又は１７２は、ＥＰＧを受信し、ＥＰＧに含まれる第６の番組識別情報（第６の番組のタイトル又は第６の番組の番組ＩＤ）に基づき、ネットワーク上の第６の番組の関連情報（掲示板上の書き込み、ツイッター上の情報、Ｆａｃｅｂｏｏｋ上の情報等）を検索し、第６の番組の関連情報へのアクセス情報（ＵＲＬ等のアドレス）を収集し、デジタルテレビジョン受信装置に対して送信する。或いは、デジタルテレビジョン受信装置が、ＥＰＧを受信し、ＥＰＧに含まれる第６の番組識別情報に基づき、ネットワーク上の第６の番組の関連情報を検索し、第６の番組の関連情報へのアクセス情報（ＵＲＬ等のアドレス）を収集する。デジタルテレビジョン受信装置のメモリ１６５は、携帯端末１７１又は１７２から送信されるアクセス情報、又は自ら収集したアクセス情報を記憶する。例えば、ネットワーク上の第６の番組の関連情報へアクセスするためのアクセス情報は、第６の番組識別情報、及びＵＲＬ等のアドレスを含む。
【０１０３】
例えば、制御装置２００（付加情報付き番組表生成部２５０）は、番組表情報に含まれた第６の番組セルの第６の番組識別情報に基づき、アクセス情報が対応付けられた第６の番組セルを含む番組表を表示するための表示情報を生成する。
【０１０４】
これにより、例えば、デジタルテレビジョン受信装置が、第６の番組のアクセス情報を入手した場合、デジタルテレビジョン受信装置は、第６の番組に対応する第６の番組セルにアクセス情報を対応付けて、第６の番組セルを含む番組表を表示することができる。例えば、ユーザが、番組表上の第６の番組セルをカーソル、ポインタ等で選択すると、デジタルテレビジョン受信装置は、前記選択に対応して、第６の番組セルに対応付けられたアクセス情報（例えば図６のＡＩ６、ＡＩ７）を出力（ポップアップ表示）する。或いは、デジタルテレビジョン受信装置は、第６の番組セルに対応付けられたアイコン（アクセス情報）を出力（表示）する。
【０１０５】
（ネットワーク番組提供情報の収集及び出力）
例えば、携帯端末１７１又は１７２は、ＥＰＧを受信し、ＥＰＧに含まれる第７の番組識別情報（第７の番組のタイトル又は第７の番組の番組ＩＤ）に基づき、ネットワーク上の第７の番組の番組提供情報（第７の番組の配信情報等）を検索し、第７の番組が配信されているか否かを調べ、第７の番組が配信されている場合には（第７の番組の番組提供情報を見つけた場合には）、デジタルテレビジョン受信装置に対して第７の番組の番組提供情報を送信する。或いは、デジタルテレビジョン受信装置が、ＥＰＧを受信し、ＥＰＧに含まれる第７の番組識別情報に基づき、ネットワーク上の第７の番組の番組提供情報を検索し、第７の番組が配信されているか否かを調べる。デジタルテレビジョン受信装置のメモリ１６５は、携帯端末１７１又は１７２から送信される番組提供情報、又は自ら検索した番組提供情報を記憶する。例えば、番組提供情報は、第７の番組識別情報、及び配信先のＵＲＬ等のアドレスを含む。
【０１０６】
例えば、制御装置２００（付加情報付き番組表生成部２５０）は、番組表情報に含まれた第７の番組セルの第７の番組識別情報に基づき、番組提供情報が対応付けられた第７の番組セルを含む番組表を表示するための表示情報を生成する。
【０１０７】
これにより、例えば、デジタルテレビジョン受信装置が、第７の番組の番組提供情報を入手した場合、デジタルテレビジョン受信装置は、第７の番組に対応する第７の番組セルに番組提供情報を対応付けて、第７の番組セルを含む番組表を表示することができる。例えば、ユーザが、番組表上の第７の番組セルをカーソル、ポインタ等で選択すると、デジタルテレビジョン受信装置は、前記選択に対応して、第７の番組セルに対応付けられた番組配信情報（例えば図６のＡＩ７）を出力（ポップアップ表示）する。或いは、デジタルテレビジョン受信装置は、第７の番組セルに対応付けられたアイコン（番組配信情報）を出力（表示）する。
【０１０８】
上記説明したように、デジタルテレビジョン受信装置は、ＥＰＧ又は番組記録リスト等の番組表に、様々な情報を付加して、付加情報付き番組表として出力（ポップアップ表示）することができる。
【０１０９】
例えば、デジタルテレビジョン受信装置は、付加情報付き番組表を出力することにより、ユーザに、以下を通知することができる。
【０１１０】
（１）付加情報付き番組表中のある番組（番組セル）に対応する購入済みＤＶＤ又はＢＤがあることを通知できる。
【０１１１】
（２）付加情報付き番組表中のある番組（番組セル）に視聴履歴があることを通知できる。
【０１１２】
（３）付加情報付き番組表中のある番組（番組セル）に対応するレンタルＤＶＤ、ＢＤ、セルＤＶＤ、ＢＤがあることを通知できる。
【０１１３】
（４）付加情報付き番組表中のある番組（番組セル）の関連情報へのリンク（ツイッター、Ｆａｃｅｂｏｏｋへのリンクボタン）を提示できる。
【０１１４】
（５）付加情報付き番組表中のある番組（番組セル）がＶＯＤでも再生可能（放送時間まで待たずに今すぐ再生可能）であることを通知できる。
【０１１５】
従来、ＥＰＧは、これから放送される番組のリストを表示するものであり、ユーザは、ＥＰＧ上の複数の番組セルの中から興味があるものを探して、番組の記録予約（録画予約）、再生予約（視聴予約）などを行っていた。つまり、ユーザは、番組を探すことを主としてＥＰＧを利用していた。
【０１１６】
例えばシリーズ化されている映画タイトルＴ１〜Ｔｎがある場合、ユーザは、映画タイトルＴ１〜Ｔｎのうち、どのタイトルが視聴済みで、どのタイトルが録画済みで、どのタイトルが視聴も録画もしていないか覚えていないことが多い。また、ある映画タイトルＴ２は、録画したが、録画品質を覚えていないことがある。つまり、映画タイトルＴ２を録画したはずだが、ＣＭありで録画したのか、ＣＭなしで録画したのか、ノーカット版を録画したのか、ＳＤ画質で録画したのか、ＨＤ画質で録画したのか、３Ｄ映像で録画したのか覚えていないことがある。
【０１１７】
録画した映画タイトルＴ２の録画品質等を確認のために、録画した映画タイトルＴ２を再生したいこともある。録画タイトルＴ２がＳＤ画質ならＨＤ画質で録画し直したいし、録画タイトルＴ２が２Ｄ映像なら３Ｄ映像で録画し直したい。
【０１１８】
一週間に３０００番組もあると、これら３０００番組についていろいろ知りたい。特に、自分が興味のある番組に関する情報が知りたい。
【０１１９】
上記したデジタルテレビジョン受信装置は、ユーザが興味のある番組に関する情報（付加情報）を提供することができる。上記したように、デジタルテレビジョン受信装置は、過去のユーザの行動、行為の履歴情報を受信、収集し、これら履歴情報を番組表に反映し、履歴情報付き番組表（即ち付加情報付き番組表）として出力することができる。
【０１２０】
例えば、番組表上で、録画済みの番組の番組セルに対応付けて再生開始ボタンを表示したり、録画済みの番組（番組セル）に対応付けて録画済み番組の保存先ライブラリ番号やディスク番号などの情報を表示したりすることもできる。また、番組表上で、ＶＯＤ提供番組の番組セルに対応付けて今すぐに再生可能（視聴可能）である旨の情報を表示することもできる。
【０１２１】
或いは、上記付加情報に対応するアイコンを選択すると、付加情報に対応する機能を実行するようにしてもよい。例えば、番組記録履歴情報に対応するアイコンを選択すると、記録番組の再生を開始する。番組購入履歴情報に対応するアイコンを選択すると、購入番組の再生を開始する。番組視聴可能情報（番組ストリーミング配信購入情報）に対応するアイコンを選択すると、視聴可能番組の再生を開始する。番組販売情報に対応するアイコンを選択すると、番組購入手続画面を表示する。ネットワークアクセス情報に対応するアイコンを選択すると、ネットワークアクセス情報に基づきネットワーク上の情報へのアクセスを開始する。ネットワーク番組提供情報に対応するアイコンを選択すると、ネットワーク上の番組の再生手続画面を表示する。
【０１２２】
また、付加情報の種別によって、付加情報の表示形式（色、サイズ等）を変更することもできる。また、一つの番組セルに対応付けて複数の付加情報を表示することもできる。上記説明した嗜好情報の収集技術を利用し、付加情報を収集し、収集した付加情報を番組表に反映させることができる。嗜好情報に対応した付加情報を付加した番組セルを、他の番組セルと区別して表示することもできる。例えば、嗜好情報に対応した付加情報を付加した番組セルの表示色と、他の番組セルの表示色とを変えることもできる。
【０１２３】
また、上記したように、デジタルテレビジョン受信装置は、携帯端末１７１又は１７２が送信するユーザＩＤを利用し、ユーザ別の付加情報が反映された番組表を表示することもできる。例えば、携帯端末１７１又は１７２は、ログインに使用されたユーザＩＤを送信し、デジタルテレビジョン受信装置は、携帯端末１７１又は１７２から送信されるユーザＩＤに対応したユーザ識別情報を表示するとともに、携帯端末１７１又は１７２から送信されるユーザＩＤに対応した付加情報付きの番組表を表示することができる。
【０１２４】
或いは、携帯端末１７１又は１７２が、付加情報付きの番組表を表示する場合に、ログインに使用されたユーザＩＤに対応するユーザ別の番組表を表示し、デジタルテレビジョン受信装置が、付加情報付きの番組表を表示する場合には、ユーザを区別しない番組表を表示するようにしてもよい。
【０１２５】
上記説明では、ＥＰＧ、記録リストに基づく、番組付加情報付き番組表について説明したが、番組付加情報付き統合再生リストであってもよい。
【０１２６】
例えば、デジタルテレビジョン受信装置は、予め検索キーワードの入力を受け付けたり、嗜好情報から検索キーワードを抽出したりし、検索キーワードを含む番組を検索する。デジタルテレビジョン受信装置は、ＥＰＧ、記録リスト（記録履歴）、再生リスト（再生履歴）、検索履歴、他の機器の記録リスト（記録履歴）、他の機器の再生リスト（再生履歴）、他の機器の検索履歴、ＤＶＤ、ＢＤ販売リスト、ＤＶＤ、ＢＤレンタルリスト、及びＶＯＤにより提供される番組リストに含まれるメタデータに基づき、上記検索キーワードを含む番組を検索し、検索番組をお薦めリスト（統合再生リスト）として表示する。
【０１２７】
例えば、ユーザが、携帯端末１７１、１７２に対して、所望検索キーワードを入力すると、携帯端末１７１、１７２は、デジタルテレビジョン受信装置に対して所望検索キーワードを送信する。デジタルテレビジョン受信装置は、所望検索キーワードに対応する番組を、ＥＰＧ、記録リスト、再生リスト、他の機器の記録リスト、他の機器の再生リスト、ＤＶＤ、ＢＤ販売リスト、ＤＶＤ、ＢＤレンタルリスト、及びＶＯＤにより提供される番組リストから検索し、検索結果を統合再生リストとして表示する。これにより、ユーザは、所望検索キーワードを入力するだけで、所望検索キーワードに対応する統合再生リストを見ることができ、統合再生リストから番組を選択するだけで、所望キーワードに対応する番組を視聴することができる。例えば、所望アーティストに関係する番組を統合再生リストとして表示することができる。
【０１２８】
また、携帯端末１７１、１７２が、所望検索キーワードに対応する番組を、ＥＰＧ、記録リスト、再生リスト、他の機器の記録リスト、他の機器の再生リスト、ＤＶＤ、ＢＤ販売リスト、ＤＶＤ、ＢＤレンタルリスト、及びＶＯＤにより提供される番組リストから検索し、検索結果を統合再生リストとして表示してもよい。この場合、統合再生リスト上で選択番組を携帯端末１７１、１７２が再生してもよいし、携帯端末１７１、１７２が選択番組をデジタルテレビジョン受信装置へ転送し、デジタルテレビジョン受信装置が選択番号を再生してもよい。
【０１２９】
しかも、統合再生リスト上には、上記説明した付加情報が付加されており、より利用価値の高いものとなっている。
【０１３０】
上記では、入力検索キーワードに基づき統合再生リストを表示するケースについて説明したが、嗜好情報に基づき（検索キーワードの入力がなくても）統合再生リストを表示することもできる。つまり、嗜好情報に対応する検索キーワードに基づき統合再生リストを表示することもできる。
【０１３１】
上記では、検索キーワードに基づき検索された番組を統合再生リスト上で表示するケースについて説明したが、さらに、検索キーワードに基づき検索された広告情報を統合再生リスト上に表示してもよい。つまり、お薦めリストと広告情報とを含む統合再生リストを表示するようにしてもよい。
【０１３２】
さらに、検索キーワードに基づき検索されたコミュニティエリアへのアクセス情報、コミュニティエリアの情報を、統合再生リスト上に表示してもよい。つまり、お薦めリスト、広告情報、コミュニティエリアへのアクセス情報、及びコミュニティエリアの情報を含む統合再生リストを表示するようにしてもよい。
【０１３３】
さらに、上記説明したように、デジタルテレビジョン受信装置又は携帯端末１７１、１７２が、ユーザＩＤに基づきユーザ別の統合再生リストを表示することもできる。
【０１３４】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１３５】
以下、本願の分割直前の原出願の特許請求の範囲に記載された発明を付記する。
【０１３６】
（１）
操作履歴情報を含む番組付加情報及び放送番組に関する情報を含む第１の番組表情報を受信する受信手段と、
前記番組付加情報及び前記第１の番組表情報に基づき、前記番組付加情報が対応付けられた前記第１の番組表情報を含む番組表を表示するための表示情報を生成する生成手段と、
前記表示情報を出力する出力手段と、
を備えた情報処理装置。
【０１３７】
（２）
前記受信手段は、第１の番組識別情報を含む前記番組付加情報を受信し、
前記生成手段は、前記第１の番組表情報に含まれた第１の番組セルの前記第１の番組識別情報に基づき、前記番組付加情報が対応付けられた前記第１の番組セルを含む前記番組表を表示するための前記表示情報を生成する（１）の情報処理装置。
【０１３８】
（３）
前記受信手段は、第２の番組識別情報を含む番組記録履歴情報を受信し、
前記生成手段は、前記第１の番組表情報に含まれた第２の番組セルの前記第２の番組識別情報に基づき、前記番組記録履歴情報が対応付けられた前記第２の番組セルを含む前記番組表を表示するための前記表示情報を生成する（１）又は（２）の情報処理装置。
【０１３９】
（４）
前記受信手段は、第３の番組識別情報を含む番組再生履歴情報を受信し、
前記生成手段は、前記第１の番組表情報に含まれた第３の番組セルの前記第３の番組識別情報に基づき、前記番組再生履歴情報が対応付けられた前記第３の番組セルを含む前記番組表を表示するための前記表示情報を生成する（１）乃至（３）の何れか１つの情報処理装置。
【０１４０】
（５）
前記受信手段は、第４の番組識別情報を含む番組購入履歴情報を受信し、
前記生成手段は、前記第１の番組表情報に含まれた第４の番組セルの前記第４の番組識別情報に基づき、前記番組購入履歴情報が対応付けられた前記第４の番組セルを含む前記番組表を表示するための前記表示情報を生成する（１）乃至（４）の何れか１つの情報処理装置。
【０１４１】
（６）
前記受信手段は、第５の番組識別情報を含む番組販売情報を受信し、
前記生成手段は、前記第１の番組表情報に含まれた第５の番組セルの前記第５の番組識別情報に基づき、前記番組販売情報が対応付けられた前記第５の番組セルを含む前記番組表を表示するための前記表示情報を生成する（１）乃至（５）の何れか１つの情報処理装置。
【０１４２】
（７）
前記受信手段は、第６の番組識別情報を含むネットワークアクセス情報を受信し、
前記生成手段は、前記第１の番組表情報に含まれた第６の番組セルの前記第６の番組識別情報に基づき、前記ネットワークアクセス情報が対応付けられた前記第６の番組セルを含む前記番組表を表示するための前記表示情報を生成する（１）乃至（６）の何れか１つの情報処理装置。
【０１４３】
（８）
前記受信手段は、第７の番組識別情報を含むネットワーク番組提供情報を受信し、
前記生成手段は、前記第１の番組表情報に含まれた第７の番組セルの前記第７の番組識別情報に基づき、前記ネットワーク番組提供情報が対応付けられた前記第７の番組セルを含む前記番組表を表示するための前記表示情報を生成する（１）乃至（７）の何れか１つの情報処理装置。
【０１４４】
（９）
前記生成手段は、前記番組付加情報及び番組記録リストに対応する第２の番組表情報に基づき、前記番組付加情報が対応付けられた前記第２の番組表情報を含む前記番組表を表示するための前記表示情報を生成する（１）乃至（８）の何れか１つの情報処理装置。
【０１４５】
（１０）
前記出力手段は、前記第１の番組セルの選択操作に対応して、前記第１の番組セルに対応付けられた前記番組付加情報を出力する（２）の情報処理装置。
【０１４６】
（１１）
前記受信手段は、ユーザ識別情報を含む前記番組付加情報を受信し、
前記生成手段は、前記ユーザ識別情報に対応する前記番組表を表示するための前記表示情報を生成する（１）の情報処理装置。
【０１４７】
（１２）
操作履歴情報を含む番組付加情報及び放送番組に関する情報を含む番組表情報を受信し、
前記番組付加情報及び前記番組表情報に基づき、前記番組付加情報が対応付けられた前記番組表情報を含む番組表を表示するための表示情報を生成し、
前記表示情報を出力する情報処理方法。
【０１４８】
（１３）
前記出力手段は、前記第５の番組セルに対応付けられた前記番組販売情報を出力する（６）の情報処理装置。
【０１４９】
（１４）
前記出力手段は、前記番組販売情報の選択操作に対応して、前記番組購入手続画面を出力する（１３）の情報処理装置。
【０１５０】
（１５）
前記出力手段は、前記第６の番組セルに対応付けられた前記ネットワークアクセス情報を出力する（１７）の情報処理装置。
【０１５１】
（１６）
前記出力手段は、前記ネットワークアクセス情報の選択操作に対応して、前記ネットワークアクセス情報に基づきネットワーク上の情報へアクセスする（１５）の情報処理装置。
【符号の説明】
【０１５２】
１０２Ａ，１０２Ｂ，１０２Ｃ、１１１・・・チューナ、１２２・・・ＴＳ処理部、１２３・・・ＴＳ分離器、１２４・・・番組ＴＳ処理器、１２５・・・セレクタ、１２６・・・ＡＶでコーダ、１２７・・・オーディオ処理器、１２８・・・表示処理器、１３０・・・表示器、１４１・・・記録再生器、１４２・・・ハードディスクドライバー、１４３・・・ディスク記録再生装置、１４４・・・カメラ、１４５・・・家庭内ネットワーク、１４６・・・モデム、１６１，１６２・・・送受信器、１７１，１７２・・・携帯端末、２００・・・制御装置、２０１・・・ＥＰＧデータ処理部、２０２・・・通信制御部、２０３・・・表示制御部、２０４・・・操作指令反映部、２０５・・・アプリケーション管理部、２１２・・・データ収集・修正値生成部、２１２・・・重み付け修正部、２１３・・・番組対重み付け値格納部、２１４・・・嗜好情報生成部、２１８・・・カメラ画像処理部、２１９・・・使用機器管理部、２２１・・・番組対視聴履歴管理部、２２３・・・特別番組登録部。
【図１】
2013243704.tif 000003
【図２】
2013243704.tif 000004
【図３】
2013243704.tif 000005
【図４】
2013243704.tif 000006
【図５】
2013243704.tif 000007
【図６】
2013243704.tif 000008
【図７】
2013243704.tif 000009